(57)【要約】【課題】映画のフィルムをソースとして２−３プルダウン処理されたＮＴＳＣ方式の映像信号は、そのまま再生すると時間的に不連続な映像となるため、違和感がないように映像信号を変換する必要がある。【解決手段】２−３プルダウン検出部１１０は、入力映像信号が２−３プルダウン処理されたものかどうかを判定し、テレシネ映像信号復元処理部１２０は、その判定結果に基づいて、入力映像信号が２−３プルダウン処理されたものである場合には、フィルムの画像を復元して２４Ｈｚ（またはその偶数倍）の垂直周波数で液晶パネル１３０を駆動するような映像信号および同期信号を出力する。【選択図】　　　　図２
2004056287.tif 000002
【特許請求の範囲】
【請求項１】
入力映像信号に基づいて液晶パネルに映像を表示する液晶表示装置であって、
映画フィルムの各コマを２−３プルダウン処理によって３フィールドまたは２フィールドに交互に変換して生成された入力映像信号に基づいて、前記映画フィルムの各コマに対応する画像データが２４Ｈｚの周期で順次出力されるような映像信号を生成して出力する映像信号処理部と、
前記映像信号処理部から出力された映像信号に基づいて前記液晶パネルを駆動する駆動手段とを備える液晶表示装置。
【請求項２】
前記映像信号処理部は、
画像データを一時的に記憶する記憶手段と、
前記入力映像信号から前記映画フィルムの各コマに対応する画像データを取り出して前記記憶手段に順次書き込み、かつ当該記憶手段に書き込まれた画像データを２４Ｈｚの周期で順次読み出す制御部とを含む、請求項１記載の液晶表示装置。
【請求項３】
前記記憶手段が２つの１フィールドメモリであり、
前記制御部は、前記入力映像信号から前記映画フィルムの各コマに対応する画像データを取り出して前記２つの１フィールドメモリに交互に順次書き込み、かつ当該２つの１フィールドメモリに書き込まれた画像データを２４Ｈｚの周期で交互に順次読み出すことを特徴とする、請求項２記載の液晶表示装置。
【請求項４】
前記入力映像信号に基づいて２−３プルダウン処理された当該入力映像信号の位相を検出する位相検出手段をさらに備え、
前記制御部は、前記位相検出手段が検出した位相に基づいて、前記入力映像信号から前記映画フィルムの各コマに対応する画像データを順次取り出すことを特徴とする、請求項２記載の液晶表示装置。
【請求項５】
前記位相検出手段は、入力映像信号におけるあるフィールドの画像データと、当該フィールドの２フィールド前の画像データとの同一性を比較することによって前記位相を検出することを特徴とする、請求項４記載の液晶表示装置。
【請求項６】
入力映像信号が２−３プルダウン処理されたものであるかを判定する判定手段をさらに備え、
前記映像信号処理部は、
Ａ）前記判定手段によって入力映像信号が２−３プルダウン処理されたものであると判定された場合には、映画フィルムの各コマを２−３プルダウン処理によって３フィールドまたは２フィールドに交互に変換して生成された入力映像信号に基づいて、前記映画フィルムの各コマに対応する画像データが２４Ｈｚの周期で順次出力されるような映像信号を生成して出力し、
Ｂ）前記判定手段によって入力映像信号が２−３プルダウン処理されたものでないと判定された場合には、当該入力映像信号に準じた映像信号を出力することを特徴とする、請求項１記載の液晶表示装置。
【請求項７】
入力映像信号に基づいて液晶パネルに映像を表示する液晶表示装置であって、
映画フィルムの各コマを２−３プルダウン処理によって３フィールドまたは２フィールドに交互に変換して生成された入力映像信号に基づいて、前記映画フィルムの各コマに対応する画像データが４８×Ｎ（Ｎは１以上の整数）［Ｈｚ］の周期で２Ｎ回ずつ順次出力されるような映像信号を生成して出力する映像信号処理部と、
前記映像信号処理部から出力された映像信号に基づいて前記液晶パネルを駆動する駆動手段とを備える液晶表示装置。
【請求項８】
前記映像信号処理部は、
画像データを一時的に記憶する記憶手段と、
前記入力映像信号から前記映画フィルムの各コマに対応する画像データを取り出して前記記憶手段に順次書き込み、かつ当該記憶手段に書き込まれた画像データを４８×Ｎ（Ｎは１以上の整数）［Ｈｚ］の周期で２Ｎ回ずつ順次読み出す制御部とを含む、請求項７記載の液晶表示装置。
【請求項９】
前記記憶手段が２つの１フィールドメモリであり、
前記制御部は、前記入力映像信号から前記映画フィルムの各コマに対応する画像データを取り出して前記２つの１フィールドメモリに交互に順次書き込み、かつ当該２つの１フィールドメモリに書き込まれた画像データを４８×Ｎ（Ｎは１以上の整数）［Ｈｚ］の周期で２Ｎ回ずつ交互に順次読み出すことを特徴とする、請求項８記載の液晶表示装置。
【請求項１０】
前記入力映像信号に基づいて２−３プルダウン処理された当該入力映像信号の位相を検出する位相検出手段をさらに備え、
前記制御部は、前記位相検出手段が検出した位相に基づいて、前記入力映像信号から前記映画フィルムの各コマに対応する画像データを順次取り出すことを特徴とする、請求項８記載の液晶表示装置。
【請求項１１】
前記位相検出手段は、入力映像信号におけるあるフィールドの画像データと、当該フィールドの２フィールド前の画像データとの同一性を比較することによって前記位相を検出することを特徴とする、請求項１０記載の液晶表示装置。
【請求項１２】
入力映像信号が２−３プルダウン処理されたものであるかを判定する判定手段をさらに備え、
前記映像信号処理部は、
Ａ）前記判定手段によって入力映像信号が２−３プルダウン処理されたものであると判定された場合には、映画フィルムの各コマを２−３プルダウン処理によって３フィールドまたは２フィールドに交互に変換して生成された入力映像信号に基づいて、前記映画フィルムの各コマに対応する画像データが４８×Ｎ（Ｎは１以上の整数）［Ｈｚ］の周期で２Ｎ回ずつ順次出力されるような映像信号を生成して出力し、
Ｂ）前記判定手段によって入力映像信号が２−３プルダウン処理されたものでないと判定された場合には、当該入力映像信号に準じた映像信号を出力することを特徴とする、請求項７記載の液晶表示装置。
【請求項１３】
前記駆動手段が前記液晶パネルを反転駆動することを特徴とする、請求項７記載の液晶表示装置。
【請求項１４】
前記液晶パネルがＩＰＳ液晶モードであることを特徴とする、請求項１３記載の液晶表示装置。
【請求項１５】
前記Ｎが１であることを特徴とする、請求項７記載の液晶表示装置。
【請求項１６】
前記液晶パネルに光を照射するバックライト装置をさらに備え、
前記映画フィルムが映写機で再生される場合と同じタイミングで前記バックライト装置が４８Ｈｚで間欠点灯することを特徴とする、請求項１または７記載の液晶表示装置。
【請求項１７】
入力映像信号に基づいて液晶パネルに映像を表示する液晶表示方法であって、
映画フィルムの各コマを２−３プルダウン処理によって３フィールドまたは２フィールドに交互に変換して生成された入力映像信号に基づいて、前記映画フィルムの各コマに対応する画像データが２４Ｈｚの周期で順次出力されるような映像信号を生成し、
生成した映像信号に基づいて前記液晶パネルを駆動する液晶表示方法。
【請求項１８】
入力映像信号に基づいて液晶パネルに映像を表示する液晶表示方法であって、
映画フィルムの各コマを２−３プルダウン処理によって３フィールドまたは２フィールドに交互に変換して生成された入力映像信号に基づいて、前記映画フィルムの各コマに対応する画像データが４８×Ｎ（Ｎは１以上の整数）［Ｈｚ］の周期で２Ｎ回ずつ順次出力されるような映像信号を生成し、
生成した映像信号に基づいて前記液晶パネルを駆動する液晶表示方法。
【発明の詳細な説明】
【０００１】
【発明の属する技術分野】
本発明は液晶表示装置に関し、より特定的には、２−３プルダウン方式で処理された入力映像信号を好適に表示することのできる液晶表示装置に関する。
【０００２】
【従来の技術】
現代の映画のフィルムは通常、２４フレーム毎秒で撮影されている。これをＮＴＳＣ方式のテレビジョンに映すためには２４フレームを３０フレームに変換する必要があり、その変換はテレシネ変換といわれる。テレシネ変換の方式の中でも特に２−３プルダウン方式と呼ばれる、フィルムの各フレームを交互に２フィールド、３フィールドに変換する技術が広く用いられている（図１（ｃ））。このような２−３プルダウンをはじめとするテレシネ変換により、元来映画フィルムであった映像ソースを、トータルの再生スピードを保ちつつテレビジョンで再生すること可能である。ここでインターレース方式において１フレーム期間は２フィールド期間に相当し、本明細書における液晶表示装置は１フィールドごとに液晶パネルの全画素を書き換えるものとする。
【０００３】
しかし２−３プルダウン方式は、元のフィルムの１コマを２フィールドおよび３フィールドに交互に変換している方式上、時間的に不連続な映像となる課題がある。そこで特開２０００−３２４３８７号公報に記載の発明では、フィールド枚数を増すことで時間的連続描写を実現し、この課題を解決している（図１（ｈ））。なお、図１は本発明と従来技術の違いを分かりやすく示した概念図であり、方式上必要なフィールドメモリによる遅延等は考慮していない。
【０００４】
【発明が解決しようとする課題】
しかしながら、上記特開２０００−３２４３８７号公報に記載の方法は、以下の課題を有しているため、必ずしも最適なものとはいえない。
【０００５】
第１の課題は、液晶表示装置は、ＣＲＴにおけるインパルス型表示とは異なりホールド型表示となる（図１６）ことに起因する。なお図１６は、ＣＲＴおよび液晶表示装置（ノーマリホワイト型）のそれぞれについて、表示画像が黒から白へ変化するときの表示輝度の遷移を示している。液晶表示装置は、次の書込みが行われるまで前の表示を保つので、たとえ書込周波数（垂直周波数）を低下させたとしても表示輝度にそれほど大きな影響を与えないという特性を有する。このような特性を有する液晶表示装置において、同じ画像を多数回書込む解決法は、ドライバ駆動周波数の上昇、ひいては消費電力の増大をもたらす。
【０００６】
第２の課題は、液晶パネルがＩＰＳ液晶モードの場合に、ＩＰＳ液晶モード固有のフリッカあるいはエコー状の尾引きが発生することである。ＩＰＳ液晶モードの液晶パネルは、工法上、電極が保護絶縁膜で覆われているの構造となるのが一般的である（特許第２７０１６９８号）。ＩＰＳ液晶モードに限らず液晶表示装置は一般的に１フィールドごとに書き込み極性を反転させる交流駆動をしている。前記構造ゆえ交流駆動の正負のバランスが崩れると、事実上ＤＣ電圧を印加していることとなり、絶縁膜が分極し、この分極は液晶セルへの印加電圧を打ち消すように働くために表示に影響を及ぼす。
【０００７】
例えば図１７は、ＩＰＳ液晶パネルを用いた液晶表示装置において、白灰白のテストパターンを右方向に１フィールドあたり２画素動かした場合のある走査線上の駆動波形である。横軸は水平方向画素の位置（空間軸）であり、縦方向の並びはフィールド順（離散時間）を示している。交流駆動を行っているため、１フィールドごとに駆動電圧波形の極性が反転している。図１７において、ある画素Ａに着目して駆動電圧の時間変化を調べると図１８（ａ）となる。図１８（ａ）からわかるように、電極にかかるＤＣ成分（低周波成分）はテストパターンが通り過ぎた時にバランスが崩れる。さらに、図１８（ｂ）は、上記着目画素Ａの液晶にかかる電界を示している。電極の電圧のＤＣ成分のバランスが崩れたときに絶縁膜が分極し、その電荷がリークするまでの期間は、画素Ａの液晶にかかる電界のＤＣバランスが一時的に崩れる。このようにＩＰＳ液晶モードでは動画像表示時に交流駆動のＤＣバランスが一時的に崩れるという固有の課題がある。
【０００８】
テストパターンが移動した後の画素は交流駆動のＤＣバランスの崩れにより１フィールドおきに輝度の異なる表示を繰り返すフリッカとなる。このフリッカを単純に正面位置から見たときは単なるフリッカとして知覚されるのであるが、図１９に示すように、ＩＰＳ液晶モードの液晶パネル５０１において灰色背景５０３の中で白いテストパターン５０２を右方向に動かすと、人間の目はこの動きを追ってしまう。テストパターン５０２の動きとフリッカは同期しているので、図２０に示すように視線が時空間方向に方向性を持ち、その結果フリッカパターンは縞模様のパターンに見える。すなわち図１９のように、動くテストパターン５０２の後ろにエコー状の縞模様が尾を引くように知覚されるため（エコー状尾引き５０４）、テレビジョン受像機など動画像を表示する装置としてＩＰＳ液晶モードの液晶表示装置を用いた場合、動画画質が劣化する。これは上記特開２０００−３２４３８７号公報に記載の方法でも同様である。
【０００９】
それゆえに本発明の目的は、上記第１および第２の課題の少なくともいずれかを解決することのできる液晶表示装置を提供することである。
【００１０】
【課題を解決するための手段および発明の効果】
本発明は上記課題を解決するために、以下の構成を採用した。なお、括弧内の参照符号等は、本発明の理解を助けるために示したものであって、本発明を何ら限定するものではない。
本発明の液晶表示装置（１００）は、入力映像信号に基づいて液晶パネル（１３０）に映像を表示するものであって、映画フィルムの各コマ（図１（ａ）のＡ、Ｂ、Ｃ、・・・）を２−３プルダウン処理によって３フィールド（Ａ１、Ａ２、Ａ３等）または２フィールド（Ｂ１、Ｂ２等）に交互に変換して生成された入力映像信号（図１（ｃ））に基づいて、前記映画フィルムの各コマに対応する画像データ（Ａ、Ｂ、Ｃ、・・・）が２４Ｈｚの周期で順次出力されるような映像信号（図１（ｄ））を生成して出力する映像信号処理部（１２０）と、前記映像信号処理部から出力された映像信号に基づいて前記液晶パネルを駆動する駆動手段（１４０）とを備える。これにより、２−３プルダウン処理特有の課題である時間的な不連続を解消した元のフィルム画像を復元して表示でき、かつ２４Ｈｚという低周波駆動による低消費電力化が可能となる。その際、液晶表示装置のホールド型表示特性のため、低周波駆動をしてもＣＲＴのような輝度低下は発生しない。
【００１１】
また本発明の他の液晶表示装置（２００、３００）は、入力映像信号に基づいて液晶パネル（１３０）に映像を表示するものであって、映画フィルムの各コマ（図１（ａ）のＡ、Ｂ、Ｃ、・・・）を２−３プルダウン処理によって３フィールド（Ａ１、Ａ２、Ａ３等）または２フィールド（Ｂ１、Ｂ２等）に交互に変換して生成された入力映像信号（図１（ｃ））に基づいて、前記映画フィルムの各コマに対応する画像データ（Ａ、Ｂ、Ｃ、・・・）が４８×Ｎ（Ｎは１以上の整数）［Ｈｚ］の周期で２Ｎ回ずつ順次出力されるような映像信号（図１（ｅ）、図１（ｆ））を生成して出力する映像信号処理部（２２０、３２０）と、前記映像信号処理部から出力された映像信号に基づいて前記液晶パネルを駆動する駆動手段（１４０）とを備える。これにより、垂直周波数を４８×Ｎ（Ｎは１以上の整数）［Ｈｚ］として駆動し、２−３プルダウン処理特有の課題である時間的な不連続を解消して映像を表示することが可能となる。その際、液晶セルに充電された電荷が時間の経過とともに放電されてしまう特性に起因した液晶表示装置特有のフリッカは軽減されたものとなる。特に、同じ画像を偶数回表示するので、液晶パネルの駆動方法として一般的な交流駆動と組み合わせれば、液晶セルに印加される電圧の正負のバランスが崩れることはなく、液晶パネルとしてＩＰＳ液晶モードのものを使用する場合であってもＩＰＳ液晶モードに固有のフリッカ、エコー状の尾引きは発生しない。
【００１２】
また本発明の液晶表示方法は、入力映像信号に基づいて液晶パネル（１３０）に映像を表示するものであって、映画フィルムの各コマ（図１（ａ）のＡ、Ｂ、Ｃ、・・・）を２−３プルダウン処理によって３フィールド（Ａ１、Ａ２、Ａ３等）または２フィールド（Ｂ１、Ｂ２等）に交互に変換して生成された入力映像信号（図１（ｃ））に基づいて、前記映画フィルムの各コマに対応する画像データ（Ａ、Ｂ、Ｃ、・・・）が２４Ｈｚの周期で順次出力されるような映像信号（図１（ｄ））を生成し、生成した映像信号に基づいて前記液晶パネルを駆動する。
【００１３】
また本発明の他の液晶表示方法は、入力映像信号に基づいて液晶パネル（１３０）に映像を表示するものであって、映画フィルムの各コマ（図１（ａ）のＡ、Ｂ、Ｃ、・・・）を２−３プルダウン処理によって３フィールド（Ａ１、Ａ２、Ａ３等）または２フィールド（Ｂ１、Ｂ２等）に交互に変換して生成された入力映像信号（図１（ｃ））に基づいて、前記映画フィルムの各コマに対応する画像データ（Ａ、Ｂ、Ｃ、・・・）が４８×Ｎ（Ｎは１以上の整数）［Ｈｚ］の周期で２Ｎ回ずつ順次出力されるような映像信号（図１（ｅ）、図１（ｆ））を生成し、生成した映像信号に基づいて前記液晶パネルを駆動する。
【００１４】
【発明の実施の形態】
以下、本発明の種々の実施形態について図面を参照しながら説明する。
なお、各実施形態について詳細に説明する前に、図１に示す概念図を用いて各実施形態の特徴を説明する。図１では、前述したように、方式上必要なフィールドメモリによる遅延等は考慮していない。
【００１５】
図１（ａ）に示すように、映画のフィルムには、１コマ当たり１／２４秒、つまり２４Ｈｚで画像が記録される。映写機は図１（ｂ）に示すように、毎秒２４フレームの映像を１コマにつき２回ずつ、つまり４８Ｈｚで再生する。その間にはバックライト光を遮断しフィルムを送るための期間が存在する。ところで、映画のフィルムに記録された映像ソースは、例えば各家庭のテレビジョンに送信する際に、図１（ｃ）に示すような２−３プルダウン処理された映像信号に変換される。
【００１６】
従来の技術では、図１（ｈ）に示すように、２−３プルダウン処理された映像信号に基づいてフィルムの各コマを３フィールドに分けて再生する。本発明の第１の実施形態では、図１（ｄ）に示すように、２−３プルダウン処理された映像信号に基づいてフィルムの各コマを１フィールドとして再生する。その結果、従来の技術に比べてドライバ駆動周波数が低下し、消費電力が低減する。本発明の第２の実施形態では、図１（ｅ）または図１（ｆ）に示すように、２−３プルダウン処理された映像信号に基づいてフィルムの各コマを２Ｎフィールド（ただしＮは１以上の整数）に分けて再生する。その結果、１つのコマを交流駆動で偶数回書き込むため、ＩＰＳ液晶モードの液晶パネルを使用する場合にもＤＣバランスが保たれ、フリッカや焼き付きが起こらない。さらに、特にＮ＝１の時には、従来の技術よりも駆動周波数が低くなるため、従来の技術に比べてドライバ駆動周波数が低下し、消費電力が低減するという効果もある。本発明の第３の実施形態では、図１（ｇ）に示すように、バックライトを映写機の再生タイミングと同様のタイミングで点滅させる。その結果、映写機での映写を前提に製作されている映画フィルムを忠実に再生することができる。
【００１７】
以下、実施形態ごとに詳細に説明する。
（第１の実施形態）
図２は、本発明の第１の実施形態に係る液晶表示装置の構成を示すブロック図である。図２において、液晶表示装置１００は、２−３プルダウン検出部１１０と、テレシネ映像信号復元処理部１２０と、液晶パネル１３０と、コントローラ１４０と、ゲートドライバ１５０と、ソースドライバ１６０と、バックライト装置１７０とを備える。
【００１８】
液晶表示装置１００に入力された映像信号は、２−３プルダウン検出部１１０に供給される。２−３プルダウン検出部１１０は、入力映像信号が２−３プルダウン処理されたものか否かを判定する。入力映像信号が２−３プルダウン処理されたものであると判定された場合には、テレシネ映像信号復元処理部１２０は、２−３プルダウン検出部１１０の出力を受けて、時間的に連続な２４Ｈｚの元のフィルムに対応する映像信号を復元して出力する。一方、入力映像信号が２−３プルダウン処理されたものであると判定されなかった場合には、入力映像信号に準じた垂直周波数で映像信号を出力する。コントローラ１４０は、テレシネ映像信号復元処理部１２０の出力に基づいて、液晶パネル１３０を駆動するためのゲートドライバ１５０およびソースドライバ１６０の制御信号と、ソースドライバ１６０を通じて液晶パネル１３０へ供給すべき映像信号とを出力する。液晶パネル１３０はゲートドライバ１５０およびソースドライバ１６０によって駆動され、バックライト装置１７０からの光を、液晶パネル１３０の各液晶セルに印加される電界に応じた透過率で透過することで、入力映像信号に基づく映像が液晶パネル１３０に表示される。
【００１９】
以下、液晶表示装置１００の各ブロックを詳細に説明する。
図３に、２−３プルダウン検出部１１０の構成を示す。同期分離回路１１５は、入力映像信号から水平、垂直同期信号を生成する。一方で入力映像信号は、１フィールドメモリ１１１に順次書き込まれ、書き込まれたデータは、同期分離回路１１５で生成された垂直同期信号を基準にして１フィールド時間後に順次読み出される。さらに１フィールドメモリ１１１の出力は１フィールドメモリ１１２に入力され、同様に順次書き込まれた後、書き込まれたデータは１フィールド時間後に順次読み出される。こうして１フィールドメモリ１１２の出力は、入力映像信号が２フィールド時間遅延したものとなる（図５（ｃ））。
【００２０】
差分器１１８では、１フィールドメモリ１１２の出力と入力映像信号の差分が算出され、この差分は積分器１１４にて１フィールド時間積分される。なお、積分器１１４は垂直同期信号により１フィールド時間ごとにリセットされる。積分器１１４の出力は、比較器１１６において１フィールド時間に１回、定数レジスタ１１３の値と比較され、これにより映像の動きの有無が判定され、この判定結果が比較器１１６より出力される。ここで、入力映像信号が２−３プルダウン処理されたものである場合、理想的には図５（ｂ）におけるＡ１とＡ３、およびＣ１とＣ３の差分をとった場合、その差分はゼロとなるが、実際の液晶表示装置では入力映像信号にノイズが重畳していたり、水平ジッタが発生しているため、完全にゼロとなるとは限らない。したがって映像のノイズ量などを鑑みて定数レジスタ１１３の値を決定するとよい。
【００２１】
判定回路１１７は、比較器１１６の出力を１フィールドごとに順次蓄積し、こうして蓄積されたデータに基づいて入力映像信号が２−３プルダウン処理されたものであるかを判定する。２−３プルダウン処理された映像の場合、理想的には５フィールドに１回、比較器１１６の出力が「動き無し」となるはずである。したがって判定回路１１７は、少なくとも５フィールド分のデータを蓄積する必要がある。しかし偶然に２−３プルダウンを示すパターンが発生することも考えられる。このような誤検出により駆動周波数が頻繁に切り替わると表示に違和感が生じてします。そこでこれを防止するため、判定回路１１７が蓄積するデータ数を多くし、過去の履歴を含む多くのデータから結果を判定することが望ましい。判定回路からは入力映像信号が２−３プルダウン処理されたものであるかの判定結果と、２−３プルダウン処理された映像であった場合、その位相を知るための信号（図５（ｄ））が出力される。
【００２２】
図４に、テレシネ映像信号復元処理部１２０の構成を示す。制御部１２１は、前述の判定回路１１７からの出力結果に応じて、１フィールドメモリ１２３、１２４の書き込み／読み出しのタイミング、セレクタ１２２の動作を制御するとともに、これらの制御に応じた周波数で液晶パネル１３０を駆動するための新たな同期信号を発生する。図５および図６に、１フィールドメモリ１２３、１２４の制御、セレクタ１２２の制御、液晶パネルの表示状態をそれぞれ示す。ただし図５は、入力映像信号が２−３プルダウン処理されたものである場合のものであり、図６は、入力映像信号が２−３プルダウン処理されたものでない場合のものである。このように、入力映像信号が２−３プルダウン処理されたものである場合には、図５に示すように、元のフィルムコマに対応した映像信号に準じて液晶パネル１３０が２４Ｈｚで駆動される。一方、入力映像信号が２−３プルダウン処理されたものでない場合には、図６に示すように、入力映像信号に準じて液晶パネル１３０が６０Ｈｚで駆動される。
【００２３】
以上のように、第１の実施形態によれば、入力映像信号が２−３プルダウン処理されたものである場合には、２−３プルダウン処理特有の課題である時間的な不連続を解消した元のフィルム画像を復元して表示でき、かつ２４Ｈｚという低周波駆動による低消費電力化が可能となる。その際、液晶表示装置のホールド型表示特性により、低周波駆動をしてもＣＲＴのような輝度低下は発生しない。一方、入力映像信号が２−３プルダウン処理されたものでない場合には、入力映像信号に準じた垂直周波数で入力映像信号を表示することができる。
【００２４】
なお、本実施形態では、入力映像信号が２−３プルダウン処理されたものであるかどうかを判定回路１１７が判定し、この判定結果に基づいて制御部１２１は図５の制御または図６の制御を行うとしたが、本発明はこれに限らず、例えば入力映像信号が２−３プルダウン処理されたものであるかどうかをユーザが判断して何らかの入力手段によって制御部１２１の動作を手動で切り替えても構わない。
【００２５】
（第２の実施形態）
図７は、本発明の第２の実施形態に係る液晶表示装置の構成を示すブロック図である。図７において、液晶表示装置２００は、２−３プルダウン検出部１１０と、テレシネ映像信号復元処理部２２０と、液晶パネル１３０と、コントローラ１４０と、ゲートドライバ１５０と、ソースドライバ１６０と、バックライト装置１７０とを備える。図７において、図２と同様の構成には同一の参照符号を付し、説明を省略する。
【００２６】
第２の実施形態は、テレシネ映像信号復元処理部２２０の動作が異なる点以外は第１の実施形態と同様である。２−３プルダウン検出部１１０によって、入力映像信号が２−３プルダウン処理されたものであると判定された場合は、テレシネ映像信号復元処理部２２０は、垂直周波数が４８×Ｎ（Ｎは１以上の整数）［Ｈｚ］となるように映像信号および同期信号を出力する。
【００２７】
図８に、テレシネ映像信号復元処理部２２０の構成を示す。図８において、図４と同様の構成には同一の参照符号を付し、説明を省略する。制御部２２１は、第１の実施形態と同様に、判定回路１１７からの出力結果に応じて、１フィールドメモリ１２３、１２４の書き込み／読み出しのタイミング、セレクタ１２２の動作を制御するとともに、これらの制御に応じた周波数で液晶パネル１３０を駆動するための新たな同期信号を発生する。ただし、入力映像信号が２−３プルダウン処理されたものである場合の１フィールドメモリ１２３、１２４からのデータの読み出しタイミングが第１の実施形態と異なる。第２の実施形態では、液晶パネル１３０を４８×Ｎ（Ｎは１以上の整数）［Ｈｚ］の垂直周波数で駆動する。図９は、例えばＮ＝１の場合（つまり液晶パネル１３０を４８Ｈｚで駆動する場合）の、１フィールドメモリ１２３、１２４の制御、セレクタ１２２の制御、液晶パネルの表示状態をそれぞれ示しており、図１０は、例えばＮ＝２の場合（つまり液晶パネル１３０を９６Ｈｚで駆動する場合）の、１フィールドメモリ１２３、１２４の制御、セレクタ１２２の制御、液晶パネルの表示状態をそれぞれ示している。ただし、図９および図１０は、入力映像信号が２−３プルダウン処理されたものである場合のものである。入力映像信号が２−３プルダウン処理されたものでない場合のものについては図６と同一であるため図示を省略する。このように、入力映像信号が２−３プルダウン処理されたものである場合には、図９および図１０に示すように、元のフィルムコマの偶数倍の周波数で液晶パネル１３０が駆動される。
【００２８】
以上のように、第２の実施形態によれば、入力映像信号が２−３プルダウン処理されたものである場合には、２−３プルダウン処理特有の課題である時間的な不連続を解消した元のフィルム画像を復元して表示でき、一方、入力映像信号が２−３プルダウン処理されたものでない場合には、入力映像信号に準じた垂直周波数で入力映像信号を表示することができる。
【００２９】
なお、液晶表示装置は、液晶セルに充電された電荷が時間の経過とともに放電されてしまうという特性を有する。この放電の程度は液晶材料や画素トランジスタ性能などに依存するが、１フィールドの時間内で表示輝度の微小な変動をもたらす。特にその変動は、図１１に示すように垂直周波数が低いほど顕著である。なお図１１の測定条件は、ＴＮ液晶モードにおける中間調表示で、パネルはノーマリーホワイトである。したがって、垂直周波数を低下させた場合、液晶表示装置固有のフリッカが発生する場合がある。このフリッカは同じ階調の画像を続けて表示する場合に目につきやすい。そこで、前述の整数Ｎは、画面にて観察されるフリッカ、ドライバ動作速度、消費電力等を鑑み決定するとよい。特にＮ＝１の場合には、図１（ｈ）に示す従来技術に比べて垂直周波数が低減するため消費電力を低減できるとともに、前述の第１の実施形態に比べて垂直周波数が増大するためフリッカを抑圧することができる。
【００３０】
さらに本実施形態によれば、入力映像信号が２−３プルダウン処理されたものである場合に、液晶パネル１３０を駆動する垂直周波数がフィルムのフレーム数（２４Ｈｚ）の偶数倍となるため、反転駆動をしつつ同じ画像を偶数回表示していることから交流駆動の正負のバランスが崩れることはなく、焼き付きが発生しない効果が得られる。特に、液晶パネル１３０がＩＰＳ液晶モードである場合には、図１９に示したようなＩＰＳ液晶モードに固有のフリッカ、エコー状の尾引きを防止できるため非常に有効である。
【００３１】
なお、本実施形態では、入力映像信号が２−３プルダウン処理されたものであるかどうかを判定回路１１７が判定し、この判定結果に基づいて制御部２２１は図９、図１０の制御または図６の制御を行うとしたが、本発明はこれに限らず、例えば入力映像信号が２−３プルダウン処理されたものであるかどうかをユーザが判断して何らかの入力手段によって制御部２２１の動作を手動で切り替えても構わない。
【００３２】
ところで、図１（ｈ）に示すような従来の技術や上述した本発明の第１または第２の実施形態のように、映像信号処理によって２−３プルダウン処理の時間的不連続性を解決したとしても、液晶表示装置のホールド型表示特性により、映写機の画面表示タイミングとは異なり、映写機での映写を前提に製作されている映画フィルムの忠実な再生をしているとは言えない。なお、ＣＲＴなどインパルス型表示のデバイスを用いた場合でも表示タイミングは映写機とは異なる。映写機は毎秒２４フレームの映像を、１コマを２回ずつ、つまり４８Ｈｚで再生している。その間にはバックライト光を遮断しフィルムを送るための期間が存在する（図１（ｂ））。このような映写機および液晶表示装置における表示タイミングの違いは、映像の見え方に差を生じさせる。そこで第３の実施形態として、このような課題を解決する液晶表示装置について説明する。
【００３３】
（第３の実施形態）
図１２は、本発明の第３の実施形態に係る液晶表示装置の構成を示すブロック図である。図１２において、液晶表示装置３００は、２−３プルダウン検出部１１０と、テレシネ映像信号復元処理部３２０と、液晶パネル１３０と、コントローラ１４０と、ゲートドライバ１５０と、ソースドライバ１６０と、バックライト装置１７０とを備える。図１２において、図２と同様の構成には同一の参照符号を付し、その説明を省略する。
【００３４】
第３の実施形態は、テレシネ映像信号復元処理部３２０からバックライト装置１７０へ点灯または消灯の制御信号が供給される点以外は第１の実施形態と同様である。２−３プルダウン検出部１１０によって、入力映像信号が２−３プルダウン処理されたものであると判定された場合は、テレシネ映像信号復元処理部２２０は、バックライト装置１７０を４８Ｈｚでストロボ状に点灯させるような制御信号をバックライト装置１７０に供給する。こうして映写機によるフィルムの再生を模擬することが第３の実施形態の特徴である。
【００３５】
図１３に、テレシネ映像信号復元処理部３２０の構成を示す。図１３において、図４と同様の構成には同一の参照符号を付し、説明を省略する。制御部３２１は、第１の実施形態と同様に、判定回路１１７からの出力結果に応じて、１フィールドメモリ１２３、１２４の書き込み／読み出しのタイミング、セレクタ１２２の動作を制御するとともに、これらの制御に応じた周波数で液晶パネル１３０を駆動するための新たな同期信号を発生する。さらに制御部３２１は、入力映像信号が２−３プルダウン処理されたものである場合に、バックライト装置１７０を４８Ｈｚでストロボ状に点灯させるような制御信号を発生する。図１４および図１５に、１フィールドメモリ１２３、１２４の制御、セレクタ１２２の制御、液晶パネルの表示状態、バックライトの制御をそれぞれ示す。ただし図１４は、入力映像信号が２−３プルダウン処理されたものである場合のものであり、図１５は、入力映像信号が２−３プルダウン処理されたものでない場合のものである。このように、入力映像信号が２−３プルダウン処理されたものである場合には、図１４に示すように、元のフィルムコマに対応した映像信号に準じて液晶パネル１３０が２４Ｈｚで駆動されるとともに、その映像信号に同期してバックライト装置１７０が４８Ｈｚで間欠点灯する。一方、入力映像信号が２−３プルダウン処理されたものでない場合には、図１５に示すように、入力映像信号に準じて液晶パネル１３０が６０Ｈｚで駆動される。このときバックライト装置１７０は常時点灯する。
【００３６】
以上のように、第３の実施形態によれば、入力映像信号が２−３プルダウン処理されたものである場合には、２−３プルダウン処理特有の課題である時間的な不連続を解消した元のフィルム画像を復元して表示でき、さらにバックライトを４８Ｈｚで間欠点灯することで、映写機によるフィルム再生と同様の表示タイミングを得ることができる。一方、入力映像信号が２−３プルダウン処理されたものでない場合には、入力映像信号の垂直周波数に準じた垂直周波数で入力映像信号を表示することができる。
【００３７】
なお、本実施形態では、第１の実施形態と同様に２４Ｈｚの垂直周波数で入力映像信号を表示する場合において、バックライト装置１７０を４８Ｈｚで間欠点灯するようにしたが、第２の実施形態と同様に４８×Ｎ（Ｎは１以上の整数）［Ｈｚ］の垂直周波数で入力映像信号を表示する場合にも本実施形態を適用することができる。つまり第２の実施形態の場合にもバックライト装置１７０を４８Ｈｚで間欠点灯することにより、映写機によるフィルム再生と同様の表示タイミングを得ることができる。
【００３８】
また、本実施形態では、入力映像信号が２−３プルダウン処理されたものであるかどうかを判定回路１１７が判定し、この判定結果に基づいて制御部３２１は図１４の制御または図１５の制御を行うとしたが、本発明はこれに限らず、例えば入力映像信号が２−３プルダウン処理されたものであるかどうかをユーザが判断して何らかの入力手段によって制御部３２１の動作を手動で切り替えても構わない。
【図面の簡単な説明】
【図１】本発明の各実施形態に係る液晶表示装置の動作の特徴を示す概念図である。
【図２】本発明の第１の実施形態に係る液晶表示装置の構成を示すブロック図である。
【図３】２−３プルダウン検出部１１０の構成を示すブロック図である。
【図４】テレシネ映像信号復元処理部１２０の構成を示すブロック図である。
【図５】入力映像信号が２−３プルダウン処理されたものである場合の第１の実施形態の動作を示すタイミング図である。
【図６】入力映像信号が２−３プルダウン処理されたものでない場合の第１の実施形態の動作を示すタイミング図である。
【図７】本発明の第２の実施形態に係る液晶表示装置の構成を示すブロック図である。
【図８】テレシネ映像信号復元処理部２２０の構成を示すブロック図である。
【図９】入力映像信号が２−３プルダウン処理されたものである場合の第２の実施形態の動作の一例を示すタイミング図である。
【図１０】入力映像信号が２−３プルダウン処理されたものである場合の第２の実施形態の動作の他の例を示すタイミング図である。
【図１１】液晶表示装置における輝度の変動を示す図である。
【図１２】本発明の第３の実施形態に係る液晶表示装置の構成を示すブロック図である。
【図１３】テレシネ映像信号復元処理部３２０の構成を示すブロック図である。
【図１４】入力映像信号が２−３プルダウン処理されたものである場合の第３の実施形態の動作を示すタイミング図である。
【図１５】入力映像信号が２−３プルダウン処理されたものでない場合の第３の実施形態の動作を示すタイミング図である。
【図１６】液晶およびＣＲＴの表示特性を示す図である。
【図１７】ＩＰＳ液晶パネルにおける駆動波形の変化例を示す図である。
【図１８】図１７に示す着目画素Ａについての駆動電圧および電界の変化を示す図である。
【図１９】ＩＰＳ液晶パネルにおいて発生するエコー状尾引きを示す図である。
【図２０】エコー状尾引きが発生する原理を説明するための図である。
【符号の説明】
１００　液晶表示装置
１１０　２−３プルダウン検出部
１１１、１１２　１フィールドメモリ
１１３　定数レジスタ
１１４　積分器
１１５　同期分離回路
１１６　比較器
１１７　判定回路
１１８　差分器
１２０　テレシネ映像信号復元処理部
１２１　制御部
１２２　セレクタ
１２３、１２４　１フィールドメモリ
１３０　液晶パネル
１５０　ゲートドライバ
１６０　ソースドライバ
１７０　バックライト装置
２００　液晶表示装置
２２０　テレシネ映像信号復元処理部
２２１　制御部
３００　液晶表示装置
３２０　テレシネ映像信号復元処理部
３２１　制御部
５０１　ＩＰＳ液晶モードの液晶パネル
５０２　テストパターン
５０３　灰色背景
５０４　エコー状尾引き
【図１】
2004056287.tif 000003
【図２】
2004056287.tif 000004
【図３】
2004056287.tif 000005
【図４】
2004056287.tif 000006
【図５】
2004056287.tif 000007
【図６】
2004056287.tif 000008
【図７】
2004056287.tif 000009
【図８】
2004056287.tif 000010
【図９】
2004056287.tif 000011
【図１０】
2004056287.tif 000012
【図１１】
2004056287.tif 000013
【図１２】
2004056287.tif 000014
【図１３】
2004056287.tif 000015
【図１４】
2004056287.tif 000016
【図１５】
2004056287.tif 000017
【図１６】
2004056287.tif 000018
【図１７】
2004056287.tif 000019
【図１８】
2004056287.tif 000020
【図１９】
2004056287.tif 000021
【図２０】
2004056287.tif 000022